(57)【要約】【課題】  携帯電話機によるテレビ電話通信時の映像や音声を、後から、表示装置や音響装置で鑑賞可能とする。【解決手段】  テレビ電話通信時における、相手の携帯電話機から受信した映像データを第１映像データと、相手の携帯電話機に送信する映像データを第２映像データと、相手の携帯電話機から受信した音声データを第１音声データと、相手の携帯電話機に送信する音声データを第２音声データとすると、第１映像データ、第２の映像データ、第１音声データ、および、第２音声データのうち、少なくとも１つのデータを含む記録用データを、ホームサーバに対して送信する第１送信部（ＬＡＮ制御部３７・無線ＬＡＮＩＦ部３０）を備える。【選択図】  図１
2005159625.tif 000002
【特許請求の範囲】
【請求項１】
テレビ電話通信時における、相手端末から受信した映像データを第１映像データと、前記相手端末に送信する映像データを第２映像データと、相手端末から受信した音声データを第１音声データと、前記相手端末に送信する音声データを第２音声データとすると、
前記第１映像データ、第２の映像データ、第１音声データ、および、第２音声データのうち、少なくとも１つのデータを含む記録用データを、サーバ装置に送信する送信手段を備えることを特徴とするテレビ電話機能付携帯端末。
【請求項２】
送信すべきデータをストリームデータ化することにより前記記録用データに変換する変換手段を備えることを特徴とする請求項１に記載のテレビ電話機能付携帯端末。
【請求項３】
前記記録用データを記憶する第１記憶手段を備え、
前記サーバ装置との接続が確立したときに、前記記憶手段に記憶した前記記録用データを、前記サーバ装置に対して送信することを特徴とする請求項１または２に記載のテレビ電話機能付携帯端末。
【請求項４】
前記記憶手段に記憶した記録用データを前記サーバ装置に送信した後に、前記記憶手段に記憶した記録用データを消去する消去手段を備えることを特徴とする請求項３に記載のテレビ電話機能付携帯端末。
【請求項５】
自端末がサーバ装置に記憶させた前記記録用データを、前記サーバ装置から取得する取得手段を備えることを特徴とする請求項１から４の何れか１項に記載のテレビ電話機能付携帯端末。
【請求項６】
自端末から受信した前記記録用データを前記サーバ装置へ送信可能なクレードルと通信可能に接続される接続手段を備えることを特徴とする請求項１から５の何れか１項に記載のテレビ電話機能付携帯端末。
【請求項７】
前記記録用データには、前記送信すべきデータに関連する関連情報が含まれていることを特徴とする請求項１から６の何れか１項に記載のテレビ電話機能付携帯端末。
【請求項８】
前記関連情報は、自端末を特定可能な識別情報を含むことを特徴とする請求項７に記載のテレビ電話機能付携帯端末。
【請求項９】
前記関連情報は、相手端末を特定可能な識別情報を含むことを特徴とする請求項７または８に記載のテレビ電話機能付携帯端末。
【請求項１０】
請求項１から５の何れか１項に記載のテレビ電話機能付携帯端末と、
前記テレビ電話機能付携帯端末から前記記録用データを受信する受信手段と、前記受信手段で受信した前記記録用データを記憶する第２記憶手段と有するサーバ装置とを備えることを特徴とする通信システム。
【請求項１１】
請求項６に記載のテレビ電話機能付携帯端末と、
前記テレビ電話機能付携帯端末と通信可能に接続されると共に、前記記録用データを受信可能なクレードルと、
前記クレードルと通信可能に接続されると共に、前記クレードルを介して前記テレビ電話機能付携帯端末から前記記録用データを受信する受信手段と、前記受信手段で受信した前記記録用データを記憶する第２記憶手段と有するサーバ装置とを備えることを特徴とする通信システム。
【請求項１２】
前記テレビ電話通信時における、相手端末から受信した映像データを第１映像データと、前記相手端末に送信する映像データを第２映像データと、相手端末から受信した音声データを第１音声データと、前記相手端末に送信する音声データを第２音声データとすると、
前記第１映像データ、第２の映像データ、第１音声データ、および、第２音声データのうち、少なくとも１つのデータを含む記録用データを、サーバ装置に対して送信することを特徴とするテレビ電話機能付携帯端末の通信方法。
【請求項１３】
請求項１２記載の通信方法をコンピュータに実行させるためのプログラム。
【請求項１４】
請求項１３記載のプログラムを記録した記録媒体。
【発明の詳細な説明】
【技術分野】
【０００１】
本発明は、テレビ電話通信を行うテレビ電話機能付携帯電話機、それを備えた通信システム、通信方法、プログラム、および、そのプログラムを記録した記録媒体に関する。
【背景技術】
【０００２】
従来より、テレビ電話通信を行うためのテレビ電話機能付携帯端末（以下、当該携帯端末の一例として携帯電話機を主に説明する）が知られている。このような携帯電話機では、撮影部で撮影した映像データおよび音声入力部で入力した音声データを相手電話機に送信すると共に、相手電話機から受信した映像データおよび音声データを受信する。そして、上記受信した映像データおよび音声データを、それぞれ、自電話機の画像表示部および音声出力部で出力している。
【０００３】
しかしながら、上記携帯電話機においては、本体の小型化を図るために、上記画像表示部を大きくすること自体に限度がある。それゆえ、受信した映像データを大画面で楽しむことができない。
【０００４】
そこで、特許文献１には、画像表示部を大きくとる必要がなく十分に鮮明な画像を見ることができる携帯電話機と、この携帯電話機と共に用いて、その携帯電話機で受信した通話相手からの画像や、その携帯電話機に内蔵されたビデオカメラで撮影された画像を表示できるモニタ装置が開示されている。そして、この構成により、上記モニタ装置を用いて、大きくて鮮明な画像が見ることができるようになっている。
【０００５】
また、近年、テレビ電話機能に加えて、映像データや音声データを記憶可能な携帯電話機、あるいは、映像データや音声データを記憶可能な記憶装置を内部に収納可能な携帯電話機が知られている。
【特許文献１】特開２００２−１０２２７号（公開日：平成１４年１月１１日）
【発明の開示】
【発明が解決しようとする課題】
【０００６】
しかしながら、上記特許文献１では、大画面で受信した映像データを、モニタ装置にてリアルタイムで見ることができるものの、後から再度、上記映像データを見ることはできないという問題点を有する。
【０００７】
また、上述した映像データや音声データを記憶可能な記憶装置等は、記憶容量がそれほど大きくなく、長時間のテレビ電話通信における映像データおよび音声データの記憶には適していない。それゆえ、記憶装置に記憶した映像データを、後からモニタ装置で見るとしても、見ることができるタイトル数は限られてしまう。
【０００８】
本願発明は、上記問題点に鑑みなされたものであって、その目的は、携帯電話機等の端末によるテレビ電話通信時の映像や音声を、後から、表示装置や音響装置で鑑賞可能とするテレビ電話機能付携帯端末、それを備える通信システム、通信方法、プログラム、および、そのプログラムを記録した記録媒体を提供することにある。
【課題を解決するための手段】
【０００９】
上記の課題を解決するため、本発明に係るテレビ電話機能付携帯端末は、テレビ電話通信時における、相手端末から受信した映像データを第１映像データと、前記相手端末に送信する映像データを第２映像データと、相手端末から受信した音声データを第１音声データと、前記相手端末に送信する音声データを第２音声データとすると、前記第１映像データ、第２の映像データ、第１音声データ、および、第２音声データのうち、少なくとも１つのデータを含む記録用データを、サーバ装置に送信する送信手段を備えることを特徴としている。
【００１０】
さらに、本発明に係るテレビ電話機能付携帯端末は、上記のテレビ電話機能付携帯端末において、送信すべきデータをストリームデータ化することにより前記記録用データに変換する変換手段を備えることを特徴としている。
【００１１】
さらに、本発明に係るテレビ電話機能付携帯端末は、上記のテレビ電話機能付携帯端末において、前記記録用データを記憶する第１記憶手段を備え、前記サーバ装置との接続が確立したときに、前記記憶手段に記憶した前記記録用データを、前記サーバ装置に対して送信することを特徴としている。
【００１２】
さらに、本発明に係るテレビ電話機能付携帯端末は、上記のテレビ電話機能付携帯端末において、前記記憶手段に記憶した記録用データを前記サーバ装置に送信した後に、前記記憶手段に記憶した記録用データを消去する消去手段を備えることを特徴としている。
【００１３】
さらに、本発明に係るテレビ電話機能付携帯端末は、上記のテレビ電話機能付携帯端末において、自端末がサーバ装置に記憶させた前記記録用データを、前記サーバ装置から取得する取得手段を備えていることを特徴としている。
【００１４】
さらに、本発明に係るテレビ電話機能付携帯端末は、上記のテレビ電話機能付携帯端末において、自端末から受信した前記記録用データを前記サーバ装置へ送信可能なクレードルと通信可能に接続される接続手段を備えることを特徴としている。
【００１５】
さらに、本発明に係るテレビ電話機能付携帯端末は、上記のテレビ電話機能付携帯端末において、前記記録用データには、前記送信すべきデータに関連する関連情報が含まれていることを特徴としている。
【００１６】
さらに、本発明に係るテレビ電話機能付携帯端末は、上記のテレビ電話機能付携帯端末において、前記関連情報は、自端末を特定可能な識別情報を含むことを特徴としている。
【００１７】
さらに、本発明に係るテレビ電話機能付携帯端末は、上記のテレビ電話機能付携帯端末において、前記関連情報は、相手端末を特定可能な識別情報を含むことを特徴としている。
【００１８】
また、本発明に係る通信システムは、上記の課題を解決するために、上述したテレビ電話機能付携帯端末と、前記テレビ電話機能付携帯端末から前記記録用データを受信する受信手段と、前記受信手段で受信した前記記録用データを記憶する第２記憶手段と有するサーバ装置とを備えることを特徴としている。
【００１９】
さらに、本発明に係る通信システムは、上記の課題を解決するために、自端末から前記記録用データを受信可能なクレードルに対して、通信可能に接続されると共に、前記送信手段は、前記記録用データを、前記クレードルを介して前記サーバ装置に送信するテレビ電話機能付携帯端末と、前記テレビ電話機能付携帯端末と通信可能に接続されると共に、前記記録用データを受信可能なクレードルと、前記クレードルと通信可能に接続されると共に、前記クレードルを介して前記テレビ電話機能付携帯端末から前記記録用データを受信する受信手段と、前記受信手段で受信した前記記録用データを記憶する第２記憶手段と有するサーバ装置とを備えることを特徴としている。
【００２０】
また、本発明のテレビ電話機能付携帯端末の通信方法は、上記の課題を解決するために、前記テレビ電話通信時における、相手端末から受信した映像データを第１映像データと、前記相手端末に送信する映像データを第２映像データと、相手端末から受信した音声データを第１音声データと、前記相手端末に送信する音声データを第２音声データとすると、前記第１映像データ、第２の映像データ、第１音声データ、および、第２音声データのうち、少なくとも１つのデータを含む記録用データを、サーバ装置に対して送信することを特徴としている。
【００２１】
本発明に係るプログラムは、上記の課題を解決するために、上記通信方法をコンピュータに実行させるためのプログラムである。
【００２２】
本発明に係る記録媒体は、上記の課題を解決するために、上記プログラムを記録した記録媒体である。
【発明の効果】
【００２３】
以上のように、本発明に係るテレビ電話機能付携帯端末は、前記第１映像データ、第２の映像データ、第１音声データ、および、第２音声データのうち、少なくとも１つのデータを含む記録用データを、サーバ装置に対して送信する送信手段を備えることにより、テレビ電話通信時の記録用データをサーバ装置に送信することができる。
【００２４】
したがって、サーバ装置にて上記記録用データを受信して記憶しておけば、該記録用データに基づく映像や音声を、後から、表示装置や音響装置で鑑賞できるようになるという効果を奏する。
【００２５】
例えば、記録用データに第１映像データが含まれる場合には、このデータに基づく映像を表示装置にて出力させることにより、後から、大画面で相手端末から送信されてきた映像を再度視ることができる。また、記録用データに第１映像データおよび第２映像データが含まれる場合には、これらデータに基づく映像を表示装置にて出力させることより、後から、大画面で相手端末と自端末との映像のやりとりを再度視ることができる。さらに、第１映像データ、第２映像データ、第１音声データ、および、第２音声データが記録用データに含まれる場合には、これらデータに基づく映像および音声を表示装置および音響装置にて出力させることより、後から、テレビ電話通信時のやりとりを再度確認することができる。
【００２６】
なお、上記記録用データを、自動的にサーバ装置へ送信するように構成してもよい。この場合には、テレビ電話機能付携帯端末の使用者が、一々、サーバ装置に対して、記録用データを送信する動作を行う必要がなくなる。それゆえ、テレビ電話機能付携帯端末の操作性が、格段に向上する。
【００２７】
何れにしても、上記のように表示装置および／または音響装置に出力することで、多人数が同時に、記録用データに基づくテレビ電話通信時の映像および／または音声を楽しむことができる。
【００２８】
さらに、本発明に係るテレビ電話機能付携帯端末は、送信すべきデータをストリームデータ化することにより前記記録用データに変換する変換手段を備えるので、記録用データはストリームデータ化されてサーバ装置に送信される。
【００２９】
したがって、別々の映像データと音声データとを、一つのデータとして送信できるという効果を奏する。
【００３０】
さらに、本発明に係るテレビ電話機能付携帯端末は、前記記録用データを記憶する第１記憶手段を備え、前記サーバ装置との接続が確立したとき、前記記憶手段に記憶した前記記録用データを、前記サーバ装置に対して送信する。
【００３１】
それゆえ、テレビ電話通信時にてサーバ装置との接続が確立していなくとも、接続が確立した時点で記録用データをサーバ装置に送信できる。
【００３２】
したがって、サーバ装置との接続ができない場所においても、サーバ装置への記憶を目的としたテレビ電話通信を行うことが可能となるという効果を奏する。
【００３３】
なお、第１記憶手段に映像データおよび／または音声データを別々に記憶しておき、接続が確立した際に記録用データとしてサーバ装置に送信する構成としてもよい。
【００３４】
さらに、本発明に係るテレビ電話機能付携帯端末は、前記記憶手段に記憶した記録用データを前記サーバ装置に送信した後に、前記記憶手段に記憶した記録用データを消去する消去手段を備える。
【００３５】
それゆえ、消去手段により、記憶手段の記憶可能な容量を、上記記録用データを記憶する前の容量に戻すことができる。
【００３６】
したがって、記憶手段の記憶容量を大きくしなくても済むという効果を奏する。また、ユーザがデータを消去する手間を省ける。
【００３７】
さらに、本発明に係るテレビ電話機能付携帯端末は、自端末がサーバ装置に記憶させた前記記録用データを、前記サーバ装置から取得する取得手段を備える。
【００３８】
それゆえ、例えば、取得手段により取得した記録用データを、自端末にて表示させることにより、自端末においても、以前に行ったテレビ電話通信の様子を確認できる。
【００３９】
なお、自端末からサーバ装置へ記憶させた記録用データのみをサーバ装置から取得するように構成してもよい。この場合には、サーバ装置に記憶された各種データのうち、自装置で鑑賞可能なもののみを取得できる。それゆえ、自装置では鑑賞できないデータまでも取得してしまうといった不具合を解消できる。
【００４０】
さらに、本発明に係るテレビ電話機能付携帯端末は、自端末から受信した前記記録用データを前記サーバ装置へ送信可能なクレードルと通信可能に接続される接続手段を備える。
【００４１】
それゆえ、クレードルにテレビ電話機能付携帯端末を接続した状態で、記録用データをサーバ装置に送信可能となるという効果を奏する。
【００４２】
また、クレードルによりテレビ電話機能付携帯端末に対して電源供給も行うことにより、テレビ電話機能付携帯端末のバッテリー切れが生じることがない。それゆえ、記録用データを、安定的に、サーバ装置に送信することができる。
【００４３】
さらに、本発明に係るテレビ電話機能付携帯端末は、前記記録用データには、前記送信すべきデータに関連する関連情報が含まれている。
【００４４】
それゆえ、サーバ装置においては、関連情報を基にして、記録用データを検索できる。
【００４５】
したがって、ユーザが、サーバ装置に記憶された情報から、所望とする記録用データを容易に検索できるようになるという効果を奏する。
【００４６】
さらに、本発明に係るテレビ電話機能付携帯端末は、前記関連情報は、自端末を特定可能な識別情報を含む。
【００４７】
したがって、サーバ装置に記録されているデータのうち、何れのデータが、テレビ電話機能付携帯端末から送信されたデータ（記録用データ）であるか否かを判断できるという効果を奏する。
【００４８】
また、上記のようなテレビ電話機能付携帯端末が複数台、サーバ装置と接続されている場合には、或るデータが、何れのテレビ電話機能付携帯端末から送信されたデータであるかも判断できる。
【００４９】
さらに、本発明に係るテレビ電話機能付携帯端末は、前記関連情報は、相手端末を特定可能な識別情報を含む。
【００５０】
したがって、サーバ装置に記録されているデータのうち、何れのデータが、相手のテレビ電話機能付携帯端末に関するデータであるか否かを判断できるという効果を奏する。
【００５１】
なお、識別情報としては、相手端末の電話番号であってもよいし、相手端末から自端末への通信日時、あるいは、自端末からサーバ装置へ送信した送信日時であってもよい。これにより、サーバ装置側において、サーバ装置に対して送信されたデータが、何れの端末から送信されたデータであるのか、上記両端末間で何時に送受信が行われたデータであるのか、あるいは、何時にサーバ装置に対して送信されたデータであるのかを判断できる。それゆえ、所望のデータを簡単に確認したり検索したりすることが可能となる。
【００５２】
また、本発明に係る通信システムは、上述したテレビ電話機能付携帯端末と、前記テレビ電話機能付携帯端末から前記記録用データを受信する受信手段と、前記受信手段で受信した前記記録用データを記憶する第２記憶手段と有するサーバ装置とを備える。
【００５３】
この通信システムにおいても、テレビ電話機能付携帯端末から送信することにより、サーバ装置で記憶させた記録用データを、後からサーバ装置で読み出すことにより、表示装置や音響装置にて記録用データに基づく映像や音声を鑑賞できるという効果を奏する。
【００５４】
さらに、本発明に係る通信システムは、自端末との間で前記記録用データの転送が可能なクレードルに対して通信可能に接続されると共に、前記送信手段は、前記記録用データを、前記クレードルを介して前記サーバ装置に送信するテレビ電話機能付携帯端末と、前記テレビ電話機能付携帯端末と通信可能に接続されると共に、前記記録用データを受信可能なクレードルと、前記クレードルと通信可能に接続されると共に、前記クレードルを介して前記テレビ電話機能付携帯端末から前記記録用データを受信する受信手段と、前記受信手段で受信した前記記録用データを記憶する第２記憶手段と有するサーバ装置とを備える。
【００５５】
それゆえ、この通信システムにおいても、テレビ電話機能付携帯端末からクレードルを介して送信することにより、サーバ装置で記憶させた記録用データを、後からサーバ装置で読み出すことにより、表示装置や音響装置にて記録用データに基づく映像や音声を鑑賞できるという効果を奏する。
【００５６】
また、クレードルにテレビ電話機能付携帯端末を載置した状態で、記録用データをサーバ装置に送信可能となる。
【００５７】
さらに、クレードルによりテレビ電話機能付携帯端末に対して電源供給も行うことにより、テレビ電話機能付携帯端末のバッテリー切れが生じることがない。それゆえ、記録用データを、安定的に、サーバ装置に送信することができる。
【００５８】
また、本発明に係るテレビ電話機能付携帯端末の通信方法は、前記第１映像データ、第２の映像データ、第１音声データ、および、第２音声データのうち、少なくとも１つのデータを含む記録用データを、サーバ装置に対して送信するので、テレビ電話通信時の記録用データをサーバ装置に送信することができる。
【００５９】
したがって、サーバ装置にて上記記録用データを受信して記憶しておけば、後から該記録用データに基づく映像や音声を、表示装置や音響装置で鑑賞できるようになるという効果を奏する。
【００６０】
例えば、記録用データに第１映像データが含まれる場合には、このデータに基づく映像を表示装置にて出力させることにより、後から、大画面で相手端末から送信されてきた映像を再度視ることができる。また、記録用データに第１映像データおよび第２映像データが含まれる場合には、これらデータに基づく映像を表示装置にて出力させることより、後から、大画面で相手端末と自端末との映像のやりとりを再度視ることができる。さらに、第１映像データ、第２映像データ、第１音声データ、および、第２音声データが記録用データに含まれる場合には、これらデータに基づく映像および音声を表示装置および音響装置にて出力させることより、後から、テレビ電話通信時のやりとりを再度確認することができる。
【００６１】
何れにしても、上記のように表示装置に出力することで、多人数が同時に、記録用データに基づくテレビ電話通信時の映像および／または音声を楽しむことができる。
【００６２】
本発明に係るプログラムは、以上のように、上記通信方法をコンピュータに実行させるためのプログラムである。
【００６３】
上記プログラムをコンピュータシステムにロードすることによって、上記通信方法をユーザに提供することが可能となるという効果を奏する。
【００６４】
本発明に係る記録媒体は、以上のように、上記プログラムを記録した記録媒体である。
【００６５】
上記記録媒体に記録されているプログラムをコンピュータシステムにロードすることによって、上記通信方法をユーザに提供することが可能となるという効果を奏する。
【００６６】
なお、上記テレビ電話機能付携帯端末は、コンピュータによって実現してもよく、この場合には、コンピュータを上記各手段として動作させることにより上記テレビ電話機能付携帯端末をコンピュータにて実現させる情報処理プログラム、及びその情報処理プログラムを記録したコンピュータ読み取り可能な記録媒体も、本発明の範疇に入る。
【発明を実施するための最良の形態】
【００６７】
以下の各実施の形態における説明においては、テレビ電話機能付携帯端末として、テレビ電話機能付携帯電話機を例に挙げて説明するが、本発明は、携帯電話機に限定されるものではない。
【００６８】
〔実施の形態１〕
本発明の一実施形態について図１ないし図８に基づいて説明すると以下の通りである。
【００６９】
図２は、本発明の実施形態に係る通信システム１の概略構成を示した概略図である。上記通信システム１は、同図に示すとおり、第１のテレビ電話機能付携帯電話機（自端末）２、ホームサーバ（サーバ装置）３、テレビ４、および、第２のテレビ電話機能付携帯電話機（相手端末）５を備えている。なお、以下では、第１のテレビ電話機能付携帯電話機２を、第１の携帯電話機２、あるいは、自電話機２として記載する。また、第２のテレビ電話機能付携帯電話機５を、第２の携帯電話機５、あるいは、相手電話機５として記載する。
【００７０】
上記通信システム１においては、まず、第１の携帯電話機２と第２の携帯電話機５との間で携帯電話通信網を用いたテレビ電話通信を行う。また、第１の携帯電話機２とホームサーバ３とは、ＬＡＮ（Local Area Network）を介して、互いに通信可能に接続されている。
【００７１】
なお、第１の携帯電話機２とＬＡＮとの接続方法としては、有線でも無線であってもよい。さらに、ホームサーバ３とＬＡＮとの接続方法も、有線でも無線であってもよい。
【００７２】
また、詳細については後述するが、第１の携帯電話機２は、ホームサーバ３に対して、テレビ電話通信に関する映像信号および音声信号を送信する構成となっている。なお、ここでは、映像信号および音声信号を送信する構成を説明の便宜上挙げているが、これに限定されるものではない。詳細については後述するが、映像信号および／または音声信号を送信する構成であればよい。また、以下の説明においては、第１の携帯電話機２とＬＡＮとが無線で接続され、ホームサーバ３とＬＡＮとが有線で接続されている場合について説明する。
【００７３】
図１は、上記通信システム１における第１の携帯電話機２の機能ブロック図である。
【００７４】
上記第１の携帯電話機２は、同図に示すとおり、アンテナ部２１、電話ＩＦ（Interface）部２２、ＡＶコーデック部２３、表示部２４、音声出力部２５、撮影部２６、音声入力部２７、ストリームデータ生成部（変換手段）２８、制御部２９、無線ＬＡＮＩＦ（Local Area Network Interface）部３０、相手電話機情報記憶部３１、自電話機情報記憶部３２、および、操作部３３を備えている。
【００７５】
さらに、上記制御部２９は、相手電話機情報取得部３４、自電話機情報取得部３５、情報付加部３６、および、ＬＡＮ制御部３７を備えている。なお、この制御部２９は、詳しくは後述するが、主として、ストリームデータ生成部２８で生成されたストリームデータを、ホームサーバ３に送信するための制御を行うものである。ここで、上記ＬＡＮ制御部３７と無線ＬＡＮＩＦ部３０とをあわせて、第１送信部（送信手段）とも称する。
【００７６】
アンテナ部２１は、第２の携帯電話機５との通信に用いられる。具体的には、アンテナ部２１は、第２の携帯電話機５からの無線データ（データ信号）の受信、および、第２の携帯電話機５への無線データの送信に用いられるアンテナである。
【００７７】
電話ＩＦ２２は、アンテナ部２１で受信した第２の携帯電話機５からの無線データに対してデータ処理（無線信号処理）を行うと共に、このデータ処理されたデータ（ストリームデータ）をＡＶコーデック部２３に送信する。また、上記データの内、相手先の電話番号に関するデータを、制御部２９内の相手電話機情報取得部３４に送信する。さらに、電話ＩＦ部２２は、上記ＡＶコーデック部２３から送信されるデータ（ストリームデータ）に対してデータ処理を行うと共に、そのデータ処理されたデータ（無線データ）を、アンテナ部２１を介して、第２の携帯電話機５へ出力する。
【００７８】
表示部２４は、例えば、液晶駆動装置および液晶表示パネルを供えた液晶表示装置で構成される。なお、液晶表示装置に限定されず、有機ＥＬ表示装置やプラズマ表示装置等であってもよい。この表示部２４は、ＡＶコーデック部２３から出力される映像信号に基づき、画像を表示パネルに表示する。
【００７９】
音声出力部２５は、Ｄ／Ａ変換器、スピーカー、および、イヤホンで構成される。この音声出力部２５は、ＡＶコーデック部２３から出力される音声信号に基づき、音声を外部に出力する。
【００８０】
撮影部２６は、図示しない、レンズ、受光素子を備えたＣＣＤ回路、ＣＣＤ駆動部、信号増幅部、Ａ／Ｄ変換部、および、レンズ駆動部により構成されている。そして、この撮影部２６で撮影することにより得られた映像データは、ＡＶコーデック部２３およびストリームデータ生成部２８に送信される。
【００８１】
音声入力部２７は、Ａ／Ｄ変換器およびマイクで構成されている。そして、音声入力部では、このマイクで集音された音声信号が上記Ａ／Ｄ変換器によりデジタルの音声データに変換され、その後、ＡＶコーデック部２３およびストリームデータ生成部２８に送信される。
【００８２】
ここで、ＡＶコーデック部２３について説明する。図３は、ＡＶコーデック部２３の機能ブロック図である。また、同図は、ＡＶコーデック部２３の各機能ブロックと、外部の機能ブロックとの接続関係をも示している。
【００８３】
ＡＶコーデック部２３は、同図に示すとおり、映像エンコード部５１、音声エンコード部５２、多重化処理部５３、分離処理部５４、映像デコード部５５、および、音声デコード部５６を備えている。
【００８４】
映像エンコード部５１は、撮影部２６から入力された映像データを符号化するものであり、音声エンコード部５２は、音声入力部２７から入力された音声データを符号化するものである。多重化処理部５３は、映像エンコード部５１および音声エンコード部５２にて符号化された映像データおよび音声データを多重化し、多重化されたデータであるＡＶストリームデータを電話ＩＦ部２２に出力するものである。
【００８５】
一方、分離処理部５４は、電話ＩＦ部２２から入力されたＡＶストリームデータを、符号化された映像データおよび音声データに分離するものである。映像デコード部５５は、分離処理部５４にて分離された映像データを復号化し、復号化された映像データを表示部２４およびストリームデータ生成部２８に出力するものである。音声デコード部５６は、分離された音声データを復号化し、復号化された音声データを音声出力部２５およびストリームデータ生成部２８に出力するものである。
【００８６】
映像データのコーデック（エンコード化およびデコード化）の例としては、ＩＴＵ−Ｔ  Ｈ．２６３やＭＰＥＧ−４が挙げられる。ここで、ＩＴＵ−Ｔは、International Telecommunications Union Telecommunication Standardization Sectorの略称であり、ＭＰＥＧは、Moving Picture Experts Groupの略称である。また、音声データのコーデックの例としては、ＧＳＭ−ＡＭＲが挙げられる。ここで、ＧＳＭは、Global System for Mobile communicationの略称であり、ＡＭＲは、Adaptive Multirateの略称である。
【００８７】
このように、ストリームデータ生成部２８には、撮影部２６から得られた映像データ、音声入力部２７から得られた音声データ、映像デコード部５５から得られた映像データ、および、音声デコード部５６から得られた音声データが、入力される。言い換えれば、テレビ電話通信時における、相手電話機５に送信するため自電話機２で入力した映像データおよび音声データと、相手電話機５から取得した映像データおよび音声データとが、ストリームデータ生成部２８に入力される。
【００８８】
なお、以下では、説明の便宜上、上記撮影部２６から得られた映像データを自映像データ（第２映像データ）、音声入力部２７から得られた音声データを自音声データ（第２音声データ）、映像デコード部５５から得られた映像データを相手映像データ（第１映像データ）、および、音声デコード部５６から得られた音声データを相手音声データ（第１音声データ）と称する。
【００８９】
ストリームデータ生成部２８は、上記自映像データ、自音声データ、相手映像データ、および、相手音声データに基づいてストリームデータを生成する。つまり、上記自映像データ、自音声データ、相手映像データ、および、相手音声データは、互いに独立した単なるデジタルデータであるため、ストリームデータ生成部２８にて、これらデジタルデータの符号化処理および多重化処理を行ってストリームデータを得る。さらに、上記ストリームデータ生成部２８は、図１に示すとおり、生成した上記ストリームデータを、情報付加部３６に送信する。
【００９０】
相手電話機情報記憶部３１は、フラッシュメモリ等の記憶装置で構成される。この相手電話機情報記憶部３１には、予め、ユーザが記憶させた、相手先の電話番号および該電話番号に対応する相手先名等の相手先の情報が、相手電話機を特定可能な識別情報（関連情報）として、電話番号毎に互いに関連づけされて記憶されている。
【００９１】
なお、ここでは識別情報の一例として電話番号を例示しているが、本発明でいう識別情報はそれのみに限定されるものではなく、他の識別情報であってもよい。
【００９２】
自電話機情報記憶部３２は、相手電話機情報記憶部３１と同様に、フラッシュメモリ等の記憶装置で構成される。この自電話機情報記憶部３２には、予め、自電話機の電話番号等、自電話機を特定可能な識別情報（関連情報）が記憶されている。
【００９３】
相手電話機情報取得部３４は、まず、上述したように、電話ＩＦ部２２から相手先の電話番号に関するデータを取得する。そして、相手電話機情報取得部３４は、この取得した電話番号に関するデータに基づいて、相手電話機情報記憶部３１に、上記電話番号が登録されているか否かを認証する。
【００９４】
もし、電話番号が登録されていれば、相手電話機情報取得部３４は、この登録されている電話番号に応じて関連付けされた情報を相手電話機情報記憶部３１から取得する。この後、相手電話機情報取得部３４は、該関連付けされた情報を情報付加部３６に送信する。一方、電話番号が登録されていなければ、相手電話機情報取得部３４は、相手電話機を特定可能な識別情報として、この電話番号に関するデータのみを情報付加部３６に送信する。
【００９５】
自電話機情報取得部３５は、自電話機情報記憶部３２に記憶されている自電話機を特定可能な識別情報を、情報付加部３６に送信する。
【００９６】
なお、以下では、説明の便宜上、相手電話機を特定可能な識別情報を、相手電話機識別情報と、自電話機を特定可能な識別情報を、自電話機識別情報と称する。
【００９７】
情報付加部３６は、ストリームデータ生成部２８から送られてきたストリームデータに対して、相手電話機識別情報および自電話機識別情報の付加を行う。さらに、情報付加部３６は、これら両識別情報が付加されたストリームデータ（以下、識別情報付加後データ（記録用データ）と称する）を、ＬＡＮ制御部３７に送信する。
【００９８】
ＬＡＮ制御部３７は、ＬＡＮとの接続状態を監視したり、ＬＡＮとの接続およびＬＡＮとの切断を制御する。また、ＬＡＮ制御部３７は、情報付加部３６から識別情報付加後データを受信する。そして、ＬＡＮとの接続が確立していると判断した場合には、上記識別情報付加後データを、無線ＬＡＮＩＦ部３０に送信する。
【００９９】
無線ＬＡＮＩＦ部３０は、上記識別情報付加後データに対して、無線信号処理を行う。その後、無線信号処理した識別情報付加後データを、ＬＡＮを介して、ＬＡＮに接続されている上記ホームサーバ３に送信する。
【０１００】
操作部３３は、携帯電話の表面に設けられた複数の操作キーで構成される。例えば、この操作部３３により、電源のＯＮ／ＯＦＦを制御したり、テレビ電話通信の開始および終了を制御する。また、この操作部３３からの指令の一部は、制御部２９に送られる。具体的には、ＬＡＮ制御部３７に対して、ＬＡＮとの接続を開始させる指令、あるいは、ＬＡＮとの接続を終了（切断）させる指令を送る。
【０１０１】
次に、ホームサーバ３について説明する。図４は、ホームサーバ３の機能ブロック図である。
【０１０２】
ホームサーバ３は、ＬＡＮＩＦ部６１、制御部６２、ＨＤＤ（Hard Disk Drive）（第２記憶手段）６３、操作部６４、出力処理部６５、および、Ｄ／Ａ変換部６６を備えている。また、制御部６２は、ＬＡＮ制御部６７とＡＶ制御部６８とを備えている。さらに、ＡＶ制御部６８は、書込・読取処理部６９とデータ送信部７０とを備えている。なお、ＬＡＮＩＦ部６１とＬＡＮ制御部６７とをあわせて、受信手段と称する。
【０１０３】
ＬＡＮＩＦ部６１は、ＬＡＮを介して、上記第１の携帯電話機２より、無線信号処理された識別情報付加後データを受信する。そして、この受信したデータに対して、制御部６２で処理可能なデータ形式への変換処理を行う。さらに、ＬＡＮＩＦ部６１は、この変換処理を行った識別情報付加後データを、ＬＡＮ制御部６７に送信する。また、ＨＤＤ６３は、各種データを保存可能な記憶装置である。
【０１０４】
操作部６４は、ＨＤＤ６３に記憶した情報の読み出し等に用いられる。例えば、操作部６４は、ＨＤＤ６３に主情報と共に記憶されているインデックス情報をホームサーバの表示部（図示せず）に表示させるために用いられる。さらに、操作部６４は、ユーザが、このインデックス情報に基づいて所望としている主情報を選択するために用いられる。
【０１０５】
ＬＡＮ制御部６７は、ＬＡＮとの接続状態を監視したり、ＬＡＮとの接続およびＬＡＮとの切断を制御する。また、ＬＡＮ制御部６７は、上記ＬＡＮＩＦ部６１から受信した識別情報付加後データを、ＡＶ制御部６８の書込・読取処理部６９に送信する。
【０１０６】
書込・読取処理部６９は、ＨＤＤ６３への情報の書き込みや、ＨＤＤ６３からの情報の読み取りを制御する。また、読み取った情報をデータ送信部７０に送信する。
【０１０７】
ここで、書込・読取処理部６９は、上記情報の一つとして、上記ＬＡＮ制御部６７から受信した識別情報付加後データを、ＨＤＤ６３へ書込む。これにより、ＨＤＤ６３には、上記識別情報付加後データが記憶される。
【０１０８】
また、書込・読取処理部６９は、操作部６４からの指示に応じて、ＨＤＤ６３に記憶した識別情報付加後データから、ストリームデータのみを読み取る。そして、このストリームデータをデータ送信部７０に送信する。つまり、書込・読取処理部６９は、識別情報付加後データから、上記情報付加部３６で付加された相手電話機識別情報および自電話機識別情報を取り除き、ストリームデータのみをデータ送信部７０に送信する。データ送信部７０は、上記ストリーム情報を書込・読取処理部６９から取得した後、このストリームデータを出力処理部６５に送信する。
【０１０９】
ここで、上記付加された識別情報は、ストリームデータのインデックス情報として用いられる。つまり、ユーザが所望とするストリームデータの選択を行う場合に、上記識別情報がインデックス情報として利用される。なお、以下の説明では、上記識別情報を、インデックス情報とも称することとする。
【０１１０】
なお、ストリームデータのインデックス情報として、第２のテレビ電話機能付携帯電話機５からの受信日時情報や、第１のテレビ電話機能付携帯電話機２からホームサーバ３への送信時間情報を用いてもよい。すなわち、ホームサーバ３に送信するデータ（記録用データ）に含ませる関連情報として上記情報があれば、ホームサーバ３に記憶されたデータを、簡単にインデックスとして利用できる。
【０１１１】
また、出力処理部６５は、データ送信部７０から受信したストリームデータに対して、復号化処理、および、映像データと音声データとの分離処理を行う。つまり、ストリームデータ生成部２８では、符号化処理および多重化処理が行われているため、出力処理部６５で復号化処理および分離処理を行う。これにより、デジタルの映像データと音声データとに分離される。さらに、出力処理部６５は、上記映像データと音声データとを、Ｄ／Ａ変換部６６に送信する。
【０１１２】
Ｄ／Ａ変換部６６は、出力処理部６５から受信したデジタルの映像データおよび音声データを、アナログ信号に変換する。そして、このアナログ信号に変換された、映像データに基づく映像信号、および、音声データに基づく音声信号を、テレビ４に対して出力する。なお、ホームサーバ３からのデータを表示するテレビ４にデジタル映像を入力する端子があれば、デジタル信号のままテレビ４に出力してもよい。
【０１１３】
以上の結果、例えばインデックス情報を基にして、ＨＤＤ６３から所望とするテレビ電話中の映像データおよび音声データを読み出すことにより、テレビ４にて、該映像データおよび音声データを、視たり聴いたりすることができるようになる。
【０１１４】
ここで、上記データの読み出しに際し、自電話機識別情報（インデックス情報）を用いることにより、ホームサーバ３に記録されているデータのうち、何れのデータが、自電話機２から送信したデータ（記録用データ）であるか否かを判断できる。
【０１１５】
また、上記のような第１の携帯電話機２が複数台、ホームサーバ３と接続されている場合には、或るデータが、何れの携帯電話機から送信されたデータであるかも判断できる。
【０１１６】
また、相手電話機識別情報を用いることにより、ホームサーバ３に記録されているデータのうち、何れのデータが、第２の携帯電話機５に関するデータであるか否かを判断できる。
【０１１７】
ところで、上記の説明においては、上記自映像データ、自音声データ、相手映像データ、および、相手音声データを、ホームサーバ３に送信する構成を示したが、これに限定されるものではない。上記４つのデータのうち、少なくとも１つのデータを送信する構成でもよい。また、関連情報を考慮して言及すると、上記４つのデータのうち、少なくとも１つのデータを含む識別情報付加後データ（記録データ）を送信する構成であればよいともいえる。
【０１１８】
つまり、本実施の形態に係る通信システムにおける第１の携帯電話機（テレビ電話機能付携帯端末）２は、テレビ電話通信時における、第２の携帯電話機（相手端末）５から受信した映像データを相手映像データ（第１映像データ）と、前記相手端末に送信する映像データを自映像データ（第２映像データ）と、第２の携帯電話機５から受信した音声データを相手音声データ（第１音声データ）と、前記第２の携帯電話機５に送信する音声データを自音声データ（第２音声データ）とすると、前記相手音声データ、自映像データ、相手音声データ、および、自音声データのうち、少なくとも１つのデータを含む識別情報付加後データ（記録用データ）を、ホームサーバ（サーバ装置）３に対して送信する第１送信部（ＬＡＮ制御部３７および無線ＬＡＮＩＦ部３０）（送信手段）を備える構成といえる。
【０１１９】
それゆえ、テレビ電話通信時の識別情報付加後データをホームサーバ３に送信することができる。したがって、ホームサーバ３にて上記識別情報付加後データを受信して記憶しておけば、後から該識別情報付加後データに基づく映像や音声を、テレビ４で視たり聴いたりできるようになる。なお、ホームサーバ３からの出力先として、表示装置としての機能および音響装置としての機能を有するテレビ４を挙げているが、例えば、音声データのみを出力する場合には、音響装置に出力するようにしてもよい。また、例えば、映像データのみを出力する場合には、音響装置としての機能を有しない単なる表示装置（ディスプレイ）に出力するようにしてもよい。
【０１２０】
ここで、上記識別情報付加後データ（記録用データ）を、自動的にホームサーバ３へ送信するように構成してことが好ましい。この場合には、第１の携帯電話機２の使用者が、一々、ホームサーバ３に対して、識別情報付加後データを送信する動作を行う必要がなくなる。それゆえ、第１の携帯電話機２の操作性が、格段に向上する。
【０１２１】
また、上記第１の携帯電話機２は、ホームサーバ３に対して送信すべきデータをストリームデータ化することにより識別情報付加後データ（記録用データ）に変換するストリームデータ生成部（変換手段）２８を備える構成でもある。
【０１２２】
それゆえ、識別情報付加後データはストリームデータ化されてホームサーバ３に送信される。したがって、別々の映像データと音声データとを、一つのデータとして送信できる。
【０１２３】
ここで、図５を参照しながら、上記通信システム１の第１の携帯電話機２における通信フローについて説明する。
【０１２４】
まず、第２の携帯電話機５から発信されたデータ（発信データ）をアンテナ部２１で受信する（Ｓ１）。Ｓ１の後は、アンテナ部２１で受信したデータを電話ＩＦ部２２が取得し、この電話ＩＦ部２２で無線信号処理を行う（Ｓ２）。
【０１２５】
Ｓ２の後は、電話ＩＦ部２２は、無線信号処理されたデータ（ストリームデータ）をＡＶコーデック部２３に送信する（Ｓ３）。Ｓ３の後、ストリームデータ生成部２８は、ＡＶコーデック部２８から相手映像データおよび相手音声データと、撮影部２６から自映像データと、音声入力部２７から自音声データとを取得する（Ｓ４）。
【０１２６】
Ｓ４の後は、ストリームデータ生成部２８は、上記相手映像データ、相手音声データ、自映像データ、および、自音声データに基づいて、ストリームデータを生成する（Ｓ５）。そして、Ｓ５の後は、ストリームデータ生成部２８が、生成したストリームデータを情報付加部３６に送信する（Ｓ６）。
【０１２７】
Ｓ６の後は、情報付加部３６が、上記ストリームデータに、上記相手電話機情報取得部３４により取得した相手電話機識別情報、および、自電話機情報取得部３５により取得した自電話機識別情報を付加する（Ｓ７）。Ｓ７の後は、情報付加部３６が、上記両識別情報を付加したストリームデータ（識別情報付加後データ）を、ＬＡＮ制御部３７に送信する（Ｓ８）。Ｓ８の後は、ＬＡＮ制御部３７が、上記識別情報付加後データを、無線ＬＡＮＩＦ部３０を介して、ホームサーバ３に送信する（Ｓ９）。以上の処理により、識別情報付加後データをホームサーバ３に送信できる。
【０１２８】
次に、ホームサーバ３に送信する識別情報付加後データを、第１の携帯電話機２が一旦記憶する構成について、図６に基づいて説明する。なお、以下では、第１の携帯電話機２とホームサーバ３との接続が維持され、かつ、ＬＡＮ制御部３７が無線ＬＡＮＩＦ部３０を介してホームサーバ３に識別情報付加後データを送信している場合であっても、第１の携帯電話機２自体が該識別情報付加後データを記憶する構成について説明する。
【０１２９】
図６は、上記識別情報付加後データを記憶する構成における、第１の携帯電話機２の機能ブロック図である。なお、図６では、図１と異なるブロックに関連する箇所を主として示している。
【０１３０】
上記第１の携帯電話機２は、図６に示すとおり、さらに、記憶装置（第１記憶手段）３８、および、制御部２９内に記憶装置制御部３９を備えている。また、記憶装置制御部３９は、記憶装置用送受信部４０、書込・読取処理部４１、および、データ消去部（消去手段）４２を備えている。
【０１３１】
記憶装置３８は、ホームサーバ３に送信する識別情報付加後データを、一時的に記憶する装置であり、例えば、フラッシュメモリ等で構成される。
【０１３２】
記憶装置用送受信部４０は、まず、ＬＡＮ制御部３７から識別情報付加後データを受信する。そして、書込・読取処理部４１に対して、上記識別情報付加後データを送信する。また、記憶装置用送受信部４０は、ＬＡＮ制御部３７から、ＬＡＮ制御部３７とホームサーバ３との接続状態に関する情報を取得する。そして、記憶装置用送受信部４０は、この接続状態に関する情報も、書込・読取処理部４１に送信する。
【０１３３】
さらに、記憶装置用送受信部４０は、ＬＡＮ制御部３７から、識別情報付加後データの送信が終了したか否かの情報も取得する。そして、この識別情報付加後データの送信が終了したか否かの情報を、データ消去部４２に送信する。
【０１３４】
なお、ＬＡＮ制御部３７は、ＬＡＮ制御部３７が所定の時間に渡り、情報付加部３６から識別情報付加後データを受信しなくなった場合に、データの送信が終了したと判断する構成にしておく。さらに、ＬＡＮ制御部３７は、データの送信が終了したと判断した場合に、記憶装置用送受信部４０に対して、データの送信が終了したとの情報を送る構成にしておく。
【０１３５】
書込・読取処理部４１は、記憶装置用送受信部４０から受信した識別情報付加後データを、一旦、記憶装置３８に記憶させる。これにより、ホームサーバ３との接続が確立していようと否かろうと、識別情報付加後データが、一時的に第１の携帯電話機２内に記憶されることになる。
【０１３６】
データ消去部４２は、記憶装置３８に記憶されている識別情報付加後データを消去する。なお、上記識別情報付加後データの消去の詳細については、後述する。
【０１３７】
ここで、まず、第１の携帯電話機２とホームサーバ３との接続が維持され、ＬＡＮ制御部３７が、無線ＬＡＮＩＦ部３０を介して、ホームサーバ３に対して識別情報付加後データを送信している場合（以下、第１の場合と称する）の記憶装置制御部３９でのその後の処理について説明する。次に、記憶装置３８に記憶中は、第１の携帯電話機２とホームサーバ３とが未接続であったが、その後、上記接続が確立した場合（以下、第２の場合と称する）の記憶装置制御部３９でのその後の処理について説明する。そして、最後に、当初、第１の携帯電話機２とホームサーバ３との接続が維持されていたが、その後、第１の携帯電話機２とホームサーバ３との接続が切断された場合（以下、第３の場合と称する）の記憶装置制御部３９でのその後の処理について説明する。
【０１３８】
まず、上記第１の場合について説明する。この場合には、第２の携帯電話機５とのテレビ電話通信が終了した時点で、記憶装置用送受信部４０は、ＬＡＮ制御部３７から、識別情報付加後データの送信が終了したという情報（以下、送信終了情報と称する）を取得し、この送信終了情報をデータ消去部４２に送信する。データ消去部４２は、送信終了情報を受信すると、記憶装置３８に一旦記憶させておいた識別情報付加後データを消去する。これにより、自動的にバックアップしておいた識別情報付加後データを、自動的に消去できる。それゆえ、ユーザの操作なしに、記憶装置３８の記憶可能容量を元の容量に戻せる。
【０１３９】
次に、上記第２の場合について説明する。この場合には、まず、ＬＡＮ制御部３７がホームサーバ３との接続を確立すると、記憶装置用送受信部４０は、ＬＡＮ制御部３７より、上記接続が確立したという接続情報に関する情報を受ける。そして、上記接続情報を受けた記憶装置用送受信部４０は、書込・読取処理部４１に対して、記憶装置３８から一旦記憶させておいた識別情報付加後データを読出すための指示を送る。
【０１４０】
上記指示を受けた書込・読取処理部４１は、記憶装置３８から上記識別情報付加後データを読み出し、記憶装置用送受信部４０に該識別情報付加後データを送信する。そして、記憶装置用送受信部４０は、ＬＡＮ制御部３７に対して、この受信した識別情報付加後データを送信する。この後、ＬＡＮ制御部３７は、無線ＬＡＮＩＦ部３０を介して、上記記憶装置３８から読出した識別情報付加後データをホームサーバ３に送信する。
【０１４１】
これにより、テレビ電話通信時において、ホームサーバ３との接続が確立していない場合であっても、その後、接続が確立すれば、自動的に識別情報付加後データをホームサーバ３に送信することが可能となる。
【０１４２】
また、この場合も、識別情報付加後データを送信した後は、データ消去部４２により、記憶装置３８から該識別情報付加後データを消去することが好ましい。
【０１４３】
次に、上記第３の場合について説明する。ここでは、ＬＡＮ制御部３７に、送信途中で接続が切断したためホームサーバ３に送信できなかった識別情報付加後データのデータ領域に関するアドレスを記憶する機能を持たせておく。さらに、再度識別情報付加後データを受信した場合に、上記アドレスに対応する領域のデータを、上記アドレスに基づいて抽出する構成としておく。
【０１４４】
この場合にも、識別情報付加後データは、一旦記憶装置３８に記憶される。また、ＬＡＮ制御部３７は、テレビ電話通信中にホームサーバ３との接続が切断したという接続に関する情報（以下、切断情報と称する）を、記憶装置用送受信部４０に対して送信する。この切断情報を受信した記憶装置用送受信部４０は、書込・読取処理部を介して、上記第２の場合と同様に、記憶装置３８から識別情報付加後データを取得する。
【０１４５】
この後、記憶装置用送受信部４０は、上記識別情報付加後データをＬＡＮ制御部３７に送信する。そして、ＬＡＮ制御部３７は、接続が切断したためホームサーバ３に送信できなかった部分のデータを識別情報付加後データから抽出して、この抽出した部分のデータをホームサーバ３に送信する。これにより、第２の携帯電話機５とテレビ電話通信を行っている途中で、第１の携帯電話機２とホームサーバ３との接続が切断された場合であっても、切断されることにより送信できなかったデータをホームサーバ３に送信することができる。
【０１４６】
ところで、上記第１の場合においては、データ消去部４２により、自動的に記憶装置３８に記憶させた識別情報付加後データが消去される構成であったが、操作部３３からの操作により識別情報付加後データを消去する構成としてもよい。また、上記第２の場合および第３の場合においては、ホームサーバ３との接続が確立されると自動的に、記憶装置３８に記憶された識別情報付加後データ（あるいは、該識別情報付加後データの一部）が送信される構成であったが、操作部３３からの操作によって、これらデータの送信が開始される構成としてもよい。
【０１４７】
以上のように、本実施の形態に係る第１の携帯電話機２は、上記識別情報付加後データ（記録用データ）を記憶する記憶装置３８（記憶手段）を備え、前記ホームサーバ（サーバ装置）３との接続が確立したとき、前記記憶装置３８に記憶した上記識別情報付加後データ（記録用データ）を、上記ホームサーバ３に対して送信する構成でもある。
【０１４８】
それゆえ、テレビ電話通信時にてホームサーバ３との接続が確立していなくとも、接続が確立した時点で識別情報付加後データをホームサーバ３に送信できる。したがって、ホームサーバ３との接続ができない場所においても、ホームサーバ３への記憶を目的としたテレビ電話通信を行うことが可能となる。
【０１４９】
また、上記第１の携帯電話機２は、上記記憶装置３８に記憶した識別情報付加後データ（記録用データ）を上記ホームサーバ３に送信した後に、上記記憶装置３８に記憶した識別情報付加後データ（記録用データ）を消去するデータ消去部（消去手段）４２を備える構成でもある。
【０１５０】
それゆえ、データ消去部４２により、記憶装置３８における記憶可能な容量を、上記識別情報付加後データを記憶する前の容量に戻すことができる。したがって、記憶装置３８の記憶容量を大きくしなくても済む。また、ユーザがデータを消去する手間も省ける。
【０１５１】
次に、一旦ホームサーバ３に送信してホームサーバ３に記憶させた識別情報付加後データを、第１の携帯電話機２で取得する構成について、図７および図８に基づいて説明する。
【０１５２】
図７は、ホームサーバ３から識別情報付加後データを取得する構成における、第１の携帯電話機２の機能ブロック図である。なお、図７では、図１と異なるブロックに関連する箇所を主として示している。
【０１５３】
上記第１の携帯電話機２は、図７に示すとおり、記憶装置３８および記憶装置制御部３９に加えて、サーバデータ取得部（取得手段）４３を備えている。また、サーバデータ取得部４３は、出力切換部４４を備えている。
【０１５４】
サーバデータ取得部４３は、ホームサーバ３に対し、まず、自電話機２によって記憶させた識別情報付加後データに関するインデックス情報を送信するよう第１の要求信号を送信する。なお、インデックス情報の要求は、ユーザが、操作部３３を介して、サーバデータ取得部４３に指示を送ることによりなされる。
【０１５５】
また、サーバデータ取得部４３がインデックス情報を受けた後は、サーバデータ取得部４３は、上記インデックス情報を基にしてユーザにより選択されたストリームデータ（識別情報付加後データのうちストリームデータの部分）を、自電話機２に送信するよう第２の要求信号を出す。なお、上記ユーザによる選択も、操作部３３を介して行われる。
【０１５６】
そして、サーバデータ取得部４３は、ホームサーバ３に記憶させたストリームデータを取得する。なお、サーバデータ取得部４３から送信される第１および第２の要求信号は、ＬＡＮ制御部３７を介して、ホームサーバ３に送られる。なお、ホームサーバ３側での処理については、後述する。
【０１５７】
出力切換部４４は、上記ストリームデータの出力先を切換える。具体的には、出力先を、ＡＶコーデック部２３あるいは記憶装置制御部３９の何れかに切換える。なお、切換え指示は、操作部３３により行われる。
【０１５８】
例えば、出力先としてＡＶコーデック部２３が選択されている場合、ストリームデータはＡＶコーデック部２３に送信されるため、表示部２４および音声出力部２５で、過去のテレビ電話通信時の映像および音声を視たり聴いたりすることができる。
【０１５９】
一方、出力先として、記憶装置制御部３９が選択されている場合、ホームサーバ３から取得したストリームデータは、記憶装置制御部３９に送信され、その後、該記憶装置制御部３９により記憶装置３８に記憶される。
【０１６０】
この場合、操作部３３からの操作により、サーバデータ取得部４３が、記憶装置３８に記憶させたストリームデータを取得すると共に、該ストリームデータをＡＶコーデック部２３に送信可能な構成とすることが好ましい。このような構成とすることにより、表示部２４および音声出力部２５で、上記ストリームデータに基づく、過去のテレビ電話通信時の映像および音声を視たり聴いたりすることができる。
【０１６１】
ここで、第１の携帯電話機２がホームサーバ３からストリームデータを取得する際における、ホームサーバ３の構成および処理について説明する。図８は、第１の携帯電話機２に対して、ストリームデータを送信可能とするホームサーバ３の機能ブロック図である。
【０１６２】
同図にも示すとおり、ホームサーバ３に、さらに、携帯電話機認証部７１およびデータ取得制御部７２を備えた構成としている。
【０１６３】
まず、第１の携帯電話機２のサーバデータ取得部４３から送信された上記第１および第２の要求信号は、ＬＡＮＩＦ部６１を介して、ＬＡＮ制御部６７で受信される。
【０１６４】
携帯電話機認証部７１は、ＬＡＮ制御部６７が受信した第１の要求信号に基づいて、この要求信号の送信元の携帯電話機についての認証を行う。例えば、この認証処理としては、送信元の携帯電話機の電話番号を取得する処理が挙げられる。そして、この認証結果、例えば電話番号情報を、データ取得制御部７２に送信する。
【０１６５】
データ取得制御部７２は、受信した認証結果を基に、書込・読取処理部６９に対して、この認証結果に関連するインデックス情報を読み出すと共に、読み出したインデックス情報をデータ取得制御部７２に送信するよう指示を出す。また、データ取得制御部７２は、ＬＡＮ制御部６７に対して、読み出したインデックス情報を送信する。
【０１６６】
ＬＡＮ制御部６７は、この読み出したインデックス情報を、ＬＡＮＩＦ部６１を介して、第１の携帯電話機２に送信する。以上により、第１の携帯電話機２に対する、インデックス情報の送信が完了する。
【０１６７】
また、ＬＡＮ制御部６７が、第２の要求信号を受信した場合について説明する。なお、この場合、ＬＡＮ制御部６７は、直接、この第２の要求信号を、データ取得制御部７２に対して送信する構成としておく。
【０１６８】
第２の要求信号を受信したデータ取得制御部７２は、書込・読取処理部６９に対して、第２の要求信号に応じたストリームデータを読み出すと共に、読み出したストリームデータをデータ取得制御部７２に送信するよう指示を出す。また、データ取得制御部７２は、ＬＡＮ制御部６７に対して、読み出したストリームデータを送信する。
【０１６９】
ＬＡＮ制御部６７は、この読み出したストリームデータを、ＬＡＮＩＦ部６１を介して、第１の携帯電話機２に送信する。以上により、第１の携帯電話機２に対する、ストリームデータの送信が完了する。
【０１７０】
なお、図７は、第１の携帯電話機２が、さらに、記憶装置３８、記憶装置制御部３９、サーバデータ取得部４３を備えた構成を示した。しかしながら、これに限定されず、記憶装置３８および記憶装置制御部３９を備えず、直接、ＡＶコーデック部２３に対して、ストリームデータを送信する構成としてもよい。
【０１７１】
また、上述した第１の携帯電話機２では、自電話機２自身がホームサーバ３に記憶させたストリームデータ（識別情報付加後データのうちストリームデータの部分）のみを取得する構成を示したが、これに限定されない。例えば、自電話機２が記憶させたデータ以外のデータを取得可能な構成としてもよい。なお、この場合は、例えばパスワードによるデータ取得制限を行うことが好ましい。
【０１７２】
また、上記の説明においては、ホームサーバ３側で、識別情報付加後データのうち、ストリームデータのみを第１の携帯電話機２に送信する構成を示したが、これに限定されない。例えば、ストリームデータだけでなく、識別情報付加後データを第１の携帯電話機２に送信する構成としてもよい。これにより、第１の携帯電話機２にて、付加された識別情報を用いてストリームデータの概要を知ることができる。それゆえ、第１の携帯電話機２において複数のストリームデータを記憶している場合には、第１の携帯電話機２にて所望のデータを検索することもできる。
【０１７３】
以上のように、本実施の形態に係る第１の携帯電話機２は、自電話機２がホームサーバ（サーバ装置）３に記憶させた識別情報付加後データまたはストリームデータ（記録用データ）を、上記ホームサーバ３から取得するサーバデータ取得部（取得手段）４３を備えている構成である。
【０１７４】
それゆえ、例えば、サーバデータ取得部４３により取得した識別情報付加後データまたはストリームデータを、自電話機２にて表示させることにより、自電話機２においても、以前に行ったテレビ電話通信の様子を確認できる。
【０１７５】
さらに、第１の携帯電話機２の情報付加部３６では、相手電話機識別情報（関連情報）および自電話機識別情報（関連情報）の付加を行ったが、これらの識別情報の付加に限定されるものではない。例えば、テレビ電話通信中に、操作部３３から、これら両識別情報に加えて、該テレビ電話通信に関するユーザのコメント等を上記関連情報として付加してもよい。上記コメントとしては、このテレビ電話通信の重要度や、ホームサーバ３へのデータの保存期間等、各種コメントが挙げられる。また、上記の説明においては、相手電話機識別情報と自電話機識別情報との付加を行ったが、例えば、一方の識別情報のみを付加する構成とすることも考えられる。
【０１７６】
いずれにしても、上記関連情報を付加することにより、ホームサーバ３においては、関連情報を基にして、記録用データを検索できる。それゆえ、ユーザが、ホームサーバ３に記憶されたデータから、所望とする記録用データを容易に検索できる。
【０１７７】
また、上記実施の形態では、情報付加部３６を設けて、ストリームデータに識別情報を付加した上で、識別情報付加後データを送信する構成としたが、これに限定されるものではない。
【０１７８】
例えば、ストリームデータに識別情報（関連情報）を付加せずに、ストリームデータと識別情報とを別々に送信する構成としてもよい。なお、この場合には、ストリームデータと識別情報とが、上記記録用データに該当する。さらには、上記識別情報を付加せずに、ストリームデータのみを送信する構成としてもよい。なお、この場合には、ストリームデータが上記記録用データに該当する。なお、これらは、後述する実施の形態２および３でも同様である。
【０１７９】
また、上記の説明においては、無線が確立すると、識別情報付加後データを送信する構成を示したが、操作部３３からの指示があって始めて上記データを送信する構成としてもよい。
【０１８０】
また、ホームサーバ３の記憶装置としてＨＤＤ６３を例に挙げて説明したが、これに限定されず、例えば、ＤＶＤであってもよい。つまり、情報の記録再生に適した装置であれば、特に限定されない。また、ホームサーバ３としては、ＨＤＤレコーダ、パーソナルコンピュータ等、様々な装置を用いることができる。
【０１８１】
また、上記の説明においては、第１の携帯電話機２とＬＡＮとが無線で接続され、ホームサーバ３とＬＡＮとが有線で接続されている場合について説明したが、これに限定されるものではない。
【０１８２】
例えば、第１の携帯電話機２とＬＡＮとが有線で接続され、ホームサーバ３とＬＡＮとが有線で接続されている場合にも適用できる。この場合には、第１の携帯電話機２における無線ＬＡＮＩＦ部３０の代わりに、有線接続用のＬＡＮＩＦ部を設ければよい。
【０１８３】
さらに、第１の携帯電話機２とＬＡＮとが無線で接続され、ホームサーバ３とＬＡＮとが無線で接続されている場合にも適用できる。この場合には、ホームサーバ３におけるＬＡＮＩＦ部６１の代わりに、無線接続用の無線ＬＡＮＩＦ部を設ければよい。
【０１８４】
〔実施の形態２〕
本発明の他の実施の形態について図９ないし図１２に基づいて説明すれば、以下のとおりである。なお、説明の便宜上、前記の実施の形態１で説明した部材と同一の機能を有する部材については、同一の符号を付し、その説明を省略する。また、前記実施の形態１で述べた各種の特徴点については、本実施の形態についても組み合わせて適用し得るものとする。
【０１８５】
図９は、本発明の実施形態に係る通信システム１’の概略構成を示した概略図である。上記通信システム１’は、同図に示すとおり、第１のテレビ電話機能付携帯電話機（自端末）２’、ホームサーバ（サーバ装置）３’、テレビ４、および、第２のテレビ電話機能付携帯電話機（相手端末）５を備えている。なお、以下では、第１のテレビ電話機能付携帯電話機２’を、第１の携帯電話機２’、あるいは、自電話機２’として記載する。また、第２のテレビ電話機能付携帯電話機５を、第２の携帯電話機５、あるいは、相手電話機５として記載する。
【０１８６】
上記通信システム１’が、実施の形態１の通信システム１と異なる点は、第１の携帯電話機２’とホームサーバ３’とが、ＬＡＮを介さずに直接ケーブルで接続されている点である。なお、本通信システム１’においても、第１の携帯電話機２’と第２の携帯電話機５との間で携帯電話通信網を用いたテレビ電話通信を行う点は、実施の形態１と同様である。
【０１８７】
図１０は、上記通信システム１’における第１の携帯電話機２’の機能ブロック図である。
【０１８８】
上記第１の携帯電話機２’は、同図に示すとおり、アンテナ部２１、電話ＩＦ（Interface）部２２、ＡＶコーデック部２３、表示部２４、音声出力部２５、撮影部２６、音声入力部２７、制御部２９’、相手電話機情報記憶部３１、自電話機情報記憶部３２、操作部３３、出力データ処理部４５、Ｄ／Ａ変換部４６、携帯電話コネクタ部４７、および、ＩＲ送信部４８を備えている。ここで、Ｄ／Ａ変換部４６、および、携帯電話コネクタ部４７とをあわせて、第２送信部（送信手段）とも称する。
【０１８９】
また、上記制御部２９’は、基本的には実施の形態１の制御部２９と同様の構成であるが、ＩＲ制御部４９を備え、かつ、情報付加部３６の代わりに情報付加部３６’を備える点が制御部２９と異なっている。
【０１９０】
出力データ処理部４５には、撮影部２６から得られた映像データ、音声入力部２７から得られた音声データ、映像デコード部５５から得られた映像データ、および、音声デコード部５６から得られた音声データが、入力される。言い換えれば、テレビ電話通信時における、相手電話機５に送信するため自電話機２’で入力した映像データおよび音声データと、相手電話機５から取得した映像データおよび音声データとが、出力データ処理部４５に入力される。この点は、実施の形態１におけるストリームデータ生成部２８に対する入力と同じである。
【０１９１】
なお、本実施の形態でも、上記実施の形態１と同様、上記撮影部２６から得られた映像データを自映像データ（第２映像データ）、音声入力部２７から得られた音声データを自音声データ（第２音声データ）、映像デコード部５５から得られた映像データを相手映像データ（第１映像データ）、および、音声デコード部５６から得られた音声データを相手音声データ（第１音声データ）と称する。
【０１９２】
出力データ処理部４５は、上記自映像データ、相手映像データ、自音声データ、および、相手音声データを、映像データおよび音声データの種別毎に、制御部２９’の情報付加部３６’に対して送信する。
【０１９３】
情報付加部３６’は、これら映像データおよび音声データのそれぞれのデータに対して、識別情報の付加を行う。なお、識別情報の付加については実施の形態１と同様であるため、説明を省略する。また、情報付加部３６’は、識別情報を付加した後の識別情報付加後データ（記録用データ）を、映像および音声データ毎に、Ｄ／Ａ変換部４６に送信する。
【０１９４】
Ｄ／Ａ変換部４６は、情報付加部３６’から識別情報付加後データを受信する。そして、Ｄ／Ａ変換部４６は、この識別情報付加後データに対して、Ｄ／Ａ変換を行う。これにより、デジタルの識別情報付加後データがアナログの信号に変換される。さらに、Ｄ／Ａ変換部４６は、上記アナログに変換された信号を、携帯電話コネクタ部４７を介して、ホームサーバ３’に送信する。
【０１９５】
携帯電話コネクタ部４７は、ホームサーバ３’との接続用に設けられたコネクタであり、ケーブルを介して、ホームサーバ３’側のホームサーバコネクタ部７３（図１１参照）と接続される。
【０１９６】
ＩＲ送信部４８は、ＩＲ制御部４９からの指示を受けて、指令に応じた赤外線信号を送信する。ここでは、ホームサーバ３’に対して、上記赤外線信号を送信するものとする。また、ＩＲ制御部４９は、ＩＲ送信部４８に所定の赤外線信号を発信させるために、ＩＲ送信部４８に指令を送る。
【０１９７】
本実施の形態では、ＩＲ送信部４８から、上記赤外線信号として、ホームサーバ３’に対してデータ（つまり、識別情報付加後データ）の送信を開始するといった内容の信号（制御信号）を送信する。これにより、携帯電話コネクタ部４７からのデータ送信を、ホームサーバ３’側で認識できる。
【０１９８】
次に、ホームサーバ３’について説明する。図１１は、上記通信システム１’におけるホームサーバ３’の機能ブロック図である。
【０１９９】
ホームサーバ３’は、同図に示すとおり、制御部６２’、ＨＤＤ６３、操作部６４、出力処理部６５、Ｄ／Ａ変換部６６、ホームサーバコネクタ部７３、Ａ／Ｄ変換部７４、エンコード部７５、および、ＩＲ受信部７６を備えている。また、制御部６２’は、ＩＲ制御部７７を備えている。
【０２００】
つまり、ホームサーバ３’が実施の形態１におけるホームサーバ３と異なる点は、ホームサーバコネクタ部７３、Ａ／Ｄ変換部７４、エンコード部７５、ＩＲ受信部７６、および、ＩＲ制御部７７を備える一方、ＬＡＮ制御部６７を備えない点である。なお、本実施の形態では、ホームサーバコネクタ部７３と、Ａ／Ｄ変換部７４と、エンコード部７５とをあわせて、受信手段と称する。
【０２０１】
ＩＲ受信部７６は、第１の携帯電話機２’のＩＲ送信部４８より送信された赤外線信号を受信し、ＩＲ制御部７７に対して、この信号をＩＲ制御部７７に送信する。
【０２０２】
ＩＲ制御部７７では、ホームサーバ３’が、受信した赤外線信号に応じた処理を行うように制御データを生成する。
【０２０３】
受信した赤外線信号が、ホームサーバ３’に対してデータ（つまり、識別情報付加後データ）の送信を開始するといった内容の信号であった場合には、ＩＲ制御部７７は、書込・読取処理部６９に対し、ホームサーバコネクタ部７３を介して送信されてくるデータのＨＤＤ６３への書込処理を行うように指令を出す。
【０２０４】
ホームサーバコネクタ部７３は、第１の携帯電話機２’との接続用に設けられたコネクタであり、ケーブルを介して、第１の携帯電話機２’側の携帯電話コネクタ部４７と接続される。
【０２０５】
Ａ／Ｄ変換部７４は、ホームサーバコネクタ部７３を介して受信した、アナログの識別情報付加後データを、デジタルの信号に変換する。そして、このデジタルに変換した識別情報付加後データを、エンコード部７５に対して送信する。
【０２０６】
エンコード部７５は、デジタル化された識別情報付加後データに対して、符号化によるデータ圧縮処理を行う。そして、エンコード部７５は、圧縮処理したデータを書込・読取処理部６９に送信する。この後は、書込・読取処理部６９により、実施の形態１と同様のＨＤＤ６３への書込み処理を行う。
【０２０７】
以上の結果、例えばインデックス情報を基にして、ＨＤＤ６３から所望とするテレビ電話中の映像データおよび音声データを読み出すことにより、テレビ４にて、該映像データおよび音声データを、視たり聴いたりすることができるようになる。
【０２０８】
また、実施の形態１と同様、上記の説明においては、上記自映像データ、自音声データ、相手映像データ、および、相手音声データを、ホームサーバ３’に送信する構成を示したが、これに限定されるものではない。上記４つのデータのうち、少なくとも１つのデータを送信する構成でもよい。
【０２０９】
つまり、本実施の形態に係る通信システムにおける第１の携帯電話機２’は、テレビ電話通信時における、第２の携帯電話機（相手端末）５から受信した映像データを相手映像データ（第１映像データ）と、前記第２の携帯電話機５に送信する映像データを自映像データ（第２映像データ）と、第２の携帯電話機５から受信した音声データを相手音声データ（第１音声データ）と、前記第２の携帯電話機５に送信する音声データを自音声データ（第２音声データ）とすると、前記相手音声データ、自映像データ、相手音声データ、および、自音声データのうち、少なくとも１つのデータを含む識別情報付加後データ（記録用データ）を、ホームサーバ（サーバ装置）３’に対して送信する第２送信部（Ｄ／Ａ変換部４６および携帯電話コネクタ部４７）（送信手段）を備える構成といえる。
【０２１０】
また、第１の携帯電話機２’に、実施の形態１で示したような記憶装置３８および記憶装置制御部３９（図６参照）を設けてもよい。この場合には、例えば、制御部２９’とＤ／Ａ変換部４６との間に送信制御部を新たに設け、この送信制御部と、実施の形態１で示した記憶装置制御部３９とが通信を行うような構成とすればよい。この構成によっても、実施の形態１と同様の効果を得られる。
【０２１１】
さらに、第１の携帯電話機２’に、実施の形態１で示したようなサーバデータ取得部４３（図７参照）を設けてもよい。この場合には、上記新たに設けた送信制御部と、実施の形態１で示したサーバデータ取得部４３とが通信を行うような構成とすればよい。この構成によっても、実施の形態１と同様の効果を得ることができる。
【０２１２】
ここで、図１２を参照しながら、上記通信システム１’の第１の携帯電話機２’における通信フローについて説明する。
【０２１３】
まず、第２の携帯電話機５から発信されたデータ（発信データ）をアンテナ部２１で受信する（Ｓ１１）。Ｓ１１の後は、アンテナ部２１で受信したデータを電話ＩＦ部２２が取得し、この電話ＩＦ部２２で無線信号処理を行う（Ｓ１２）。Ｓ１２の後は、電話ＩＦ部２２は、無線信号処理されたデータ（ストリームデータ）をＡＶコーデック部２３に送信する（Ｓ１３）。ここまでは、実施の形態１と同様である。
【０２１４】
Ｓ１３の後、出力データ処理部４５は、ＡＶコーデック部２８から相手映像データおよび相手音声データと、撮影部２６から自映像データと、音声入力部２７から自音声データとを取得する（Ｓ１４）。Ｓ１４の後は、出力データ処理部４５は、上記自映像データ、相手映像データ、自音声データ、および、相手音声データを、映像データおよび音声データの種別毎に、情報付加部３６’に対して送信する（Ｓ１５）。
【０２１５】
Ｓ１５の後は、情報付加部３６’が、上記映像データおよび音声データに、上記相手電話機情報取得部３４により取得した相手電話機識別情報、および、自電話機情報取得部３５により取得した自電話機情報を付加する（Ｓ１６）。Ｓ１６の後は、情報付加部３６’が、上記両識別情報を付加した映像データおよび音声データ（識別情報付加後データ）を、Ｄ／Ａ変換部４６に送信する（Ｓ１７）。Ｓ１７の後は、Ｄ／Ａ変換部４６が、上記識別情報付加後データを、アナログ信号化する（Ｓ１８）。そして、Ｓ１８の後は、識別情報付加後データを、携帯電話コネクタ部４７を介して、ホームサーバ３’に送信する（Ｓ１９）。以上の処理により、識別情報付加後データをホームサーバ３’に送信できる。
【０２１６】
〔実施の形態３〕
本発明のさらに他の実施の形態について図１３ないし図１６に基づいて説明すれば、以下のとおりである。なお、説明の便宜上、前記の実施の形態１および２で説明した部材と同一の機能を有する部材については、同一の符号を付し、その説明を省略する。また、前記実施の形態１および２で述べた各種の特徴点については、本実施の形態についても組み合わせて適用し得るものとする。
【０２１７】
図１３は、本発明の実施形態に係る通信システム１”の概略構成を示した概略図である。上記通信システム１”は、同図に示すとおり、第１のテレビ電話機能付携帯電話機（自端末）２”、ホームサーバ（サーバ装置）３”、テレビ４、第２のテレビ電話機能付携帯電話機（相手端末）５、および、クレードル６を備えている。なお、以下では、第１のテレビ電話機能付携帯電話機２”を、第１の携帯電話機２”、あるいは、自電話機２”として記載する。また、第２のテレビ電話機能付携帯電話機５を、第２の携帯電話機５、あるいは、相手電話機５として記載する。
【０２１８】
なお、クレードル６とは、スタンド型のドッキング・ステーションのことである。このクレードル６の上に第１の携帯電話機２”を載せて利用する。本実施の形態では、第１の携帯電話機２”からデータを受信すると共に、ケーブルを介してホームサーバ３”にデータの転送を行う目的で使用する。さらに、第１の携帯電話機２”の充電などを行う目的で使用する。また、本実施の形態においては、第１の携帯電話機２”は、ホームサーバ３”との間の通信においては、クレードル６に載置して使用することを前提とする。
【０２１９】
図１４は、第１の携帯電話機２”およびとクレードル６の機能ブロック図である。
【０２２０】
第１の携帯電話機２”は、同図に示すとおり、アンテナ部２１、電話ＩＦ（Interface）部２２、ＡＶコーデック部２３、表示部２４、音声出力部２５、撮影部２６、音声入力部２７、ストリームデータ生成部２８、制御部２９”、相手電話機情報記憶部３１、自電話機情報記憶部３２、操作部３３、および、携帯電話端子部（接続手段）８１を備えている。
【０２２１】
また、上記制御部２９”は、基本的には実施の形態１の制御部２９と同様の構成であるが、ＬＡＮ制御部３７の代わりに送信制御部８２を備える点が制御部２９と異なっている。ここで、上記携帯電話端子部８１と送信制御部８２とをあわせて、第３送信部（送信手段）とも称する。
【０２２２】
クレードル６は、クレードル端子部９１を備えている。また、図示はしていないが、クレードル６は、載置される携帯電話機への充電（電源供給）を行うための端子も備えている。
【０２２３】
本通信システム１”では、携帯電話端子部８１とクレードル端子部９１とが互いに接触した状態で、第１の携帯電話機２”からクレードル６へのデータ転送がなされる。また、送信制御部８２は、情報付加部３６から識別情報付加後データ（記録用データ）を受信し、この識別情報付加後データを、携帯電話端子部８１を介して、クレードル６に転送する。クレードル６側では、クレードル端子部９１が、携帯電話端子部８１から識別情報付加後データを受信する。その後、この識別情報付加後データは、ホームサーバ３”に送られる。
【０２２４】
次に、ホームサーバ３”について説明する。図１５は、ホームサーバ３”の機能ブロック図である。
【０２２５】
ホームサーバ３”は、同図に示すとおり、制御部６２”、ＨＤＤ６３、操作部６４、出力処理部６５、Ｄ／Ａ変換部６６、ホームサーバコネクタ部７８、および、エンコード部７９を備えている。また、制御部６２”は、ＡＶ制御部６８を備えている。つまり、制御部６２”は、実施の形態１で示したＬＡＮ制御部６７を備えない構成である。なお、本実施の形態では、ホームサーバコネクタ部７８とエンコード部７９とをあわせて、受信手段と称する。
【０２２６】
ホームサーバコネクタ部７８は、クレードル６との接続用に設けられたコネクタであり、ケーブルを介して、クレードル６と接続される。
【０２２７】
エンコード部７９は、ホームサーバコネクタ部７８を介して受信した識別情報付加後データに対して、符号化によるデータ圧縮処理を行う。そして、エンコード部７９は、圧縮処理したデータを書込・読取処理部６９に送信する。この後は、書込・読取処理部６９により、実施の形態１と同様のＨＤＤ６３への書込み処理を行う。
【０２２８】
以上の結果、例えばインデックス情報を基にして、ＨＤＤ６３から所望とするテレビ電話中の映像データおよび音声データを読み出すことにより、テレビ４にて、該映像データおよび音声データを、視たり聴いたりすることができるようになる。
【０２２９】
ところで、上記の説明においては、携帯電話端子部８１とクレードル端子部９１とを設けて、この端子間で識別情報付加後データの転送を行う構成を示したが、例えば、上記両端子（８１・９１）を備えずに、第１の携帯電話機２”とクレードル６とを、無線で接続してもよい。例えば、Ｂｌｕｅｔｏｏｔｈ（登録商標）で接続してもよい。
【０２３０】
ところで、上記の説明においては、上記自映像データ、自音声データ、相手映像データ、および、相手音声データを、ホームサーバ３”に送信する構成を示したが、これに限定されるものではない。上記４つのデータのうち、少なくとも１つのデータを送信する構成でもよい。
【０２３１】
つまり、本実施の形態に係る通信システムにおける第１の携帯電話機２”は、テレビ電話通信時における、第２の携帯電話機（相手端末）５から受信した映像データを相手映像データ（第１映像データ）と、前記第２の携帯電話機５に送信する映像データを自映像データ（第２映像データ）と、第２の携帯電話機５から受信した音声データを相手音声データ（第１音声データ）と、前記第２の携帯電話機５に送信する音声データを自音声データ（第２音声データ）とすると、前記相手音声データ、自映像データ、相手音声データ、および、自音声データのうち、少なくとも１つのデータを含む識別情報付加後データ（記録用データ）を、ホームサーバ（サーバ装置）３”に対して送信する第３送信部（送信制御部８２および携帯電話端子部８１）（送信手段）を備える構成といえる。
【０２３２】
ここで、携帯電話端子部８１とクレードル端子部９１との接続が確立すると、上記識別情報付加後データ（記録用データ）を自動的にホームサーバ３へ送信するように構成してことが好ましい。この場合には、第１の携帯電話機２”の使用者が、一々、ホームサーバ３に対して、識別情報付加後データを送信する動作を行う必要がなくなる。それゆえ、第１の携帯電話機２”の操作性が、格段に向上する。
【０２３３】
また、上記第１の携帯電話機２”は、ホームサーバ３”に対して送信すべきデータをストリームデータ化することにより識別情報付加後データ（記録用データ）に変換するストリーム生成手段（変換手段）２８を備える構成でもある。
【０２３４】
さらに、上記第１の携帯電話機２”は、自電話機２から受信した識別情報付加後データ（記録用データ）をホームサーバ３”へ送信可能なクレードル６と通信可能に接続される携帯電話端子部（接続手段）８１を備える構成でもある。
【０２３５】
それゆえ、クレードル６に第１の携帯電話機２”を接続した状態で、識別情報付加後データをホームサーバ３”に送信可能となる。また、クレードル６により第１の携帯電話機２”に対して電源供給も行うことにより、第１の携帯電話機２”のバッテリー切れが生じることがない。それゆえ、上記識別情報付加後データを、安定的に、ホームサーバ３”に送信することができる。
【０２３６】
さらに、実施の形態２と同様、第１の携帯電話機２”に、実施の形態１で示したような記憶装置３８および記憶装置制御部３９（図６参照）を設けてもよい。さらに、第１の携帯電話機２’に、サーバデータ取得部４３（図７参照）を設けてもよい。これらの場合にも、実施の形態１と同様の効果を得られる。
【０２３７】
ここで、図１６を参照しながら、上記通信システム１”の第１の携帯電話機２”における通信フローについて説明する。なお、同図に示すＳ２１からＳ２７の各ステップは、それぞれ、実施の形態１で示したＳ１からＳ７のステップと同一であるため、説明を省略する。
【０２３８】
Ｓ２７の後は、情報付加部３６が、上記両識別情報を付加したストリームデータ（識別情報付加後データ）を、送信制御部８２に送信する（Ｓ２８）。Ｓ２８の後は、送信制御部８２が、上記識別情報付加後データを、携帯電話端子部８１を介して、クレードル６に送信する（Ｓ２９）。
【０２３９】
なお、クレードル６に送られた識別情報付加後データは、その後、ホームサーバに臆される。以上の処理により、識別情報付加後データをホームサーバ３”に送信できる。
【０２４０】
ところで、上述した実施の形態２においては、第１の携帯電話機２’とホームサーバ３’とを有線により接続したが、実施の形態３の構成を用いて、例えばＢｌｕｅｔｏｏｔｈ（登録商標）等の無線方式により、第１の携帯電話機２’とホームサーバ３’とを接続してもよい。
【０２４１】
さらに、上記実施の形態１から３の第１の携帯電話機（２・２’・２”）においては、テレビ電話通信時の映像データを送ったが、単に撮影部２６で撮影した静止画像や、第２の携帯電話機５から送られてきた静止画像をホームサーバ（３・３’・３”）に送信する構成に適用できる。
【０２４２】
最後に、上記実施の形態１〜３における第１の携帯電話機（２・２’・２”）の各ブロック、特に制御部（２９・２９’）は、ハードウェアロジックによって構成してもよいし、次のようにＣＰＵを用いてソフトウェアによって実現してもよい。
【０２４３】
すなわち、第１の携帯電話機（２・２’・２”）は、各機能を実現する制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである第１の携帯電話機（２・２’・２”）の制御プログラムのプログラムコード（実行形式プログラム、中間コードプログラム、ソースプログラム）をコンピュータで読み取り可能に記録した記録媒体を、上記第１の携帯電話機（２・２’・２”）に供給し、そのコンピュータ（またはＣＰＵやＭＰＵ）が記録媒体に記録されているプログラムコードを読み出し実行することによっても、達成可能である。
【０２４４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２４５】
また、第１の携帯電話機（２・２’・２”）を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【０２４６】
本発明のテレビ電話機能付携帯端末は、テレビ電話機能を有するＰＤＡやパーソナルコンピュータ等に適応可能である。
【図面の簡単な説明】
【０２４７】
【図１】本発明の実施の形態に係る第１の携帯電話機の機能ブロック図である。
【図２】本発明の実施の形態に係る通信システムの概略構成を示した概略図である。
【図３】上記第１の携帯電話機におけるＡＶコーデック部の機能ブロック図である。
【図４】上記通信システムを構成するホームサーバの機能ブロック図である。
【図５】上記第１の携帯電話機の通信フローを示したフローチャートである。
【図６】上記第１の携帯電話機に関する他の構成例の機能ブロック図である。
【図７】上記第１の携帯電話機に関する、さらに他の構成例の機能ブロック図である。
【図８】上記ホームサーバに関する他の構成例の機能ブロック図である。
【図９】本発明の他の実施の形態に係る通信システムの概略構成を示した概略図である。
【図１０】上記通信システムを構成する第１の携帯電話機の機能ブロック図である。
【図１１】上記通信システムを構成するホームサーバの機能ブロック図である。
【図１２】上記第１の携帯電話機の通信フローを示したフローチャートである。
【図１３】本発明のさらに他の実施の形態に係る通信システムの概略構成を示した概略図である。
【図１４】上記通信システムを構成する第１の携帯電話機とクレードルとの機能ブロック図である。
【図１５】上記通信システムを構成するホームサーバの機能ブロック図である。
【図１６】上記第１の携帯電話機の通信フローを示したフローチャートである。
【符号の説明】
【０２４８】
１・１’・１”  通信システム
２・２’・２”  第１の携帯電話機（テレビ電話機能付携帯端末、自端末）
３・３’・３”  ホームサーバ（サーバ装置）
４  テレビ
５  第２の携帯電話機（相手端末）
６  クレードル
２８  ストリームデータ生成部（変換手段）
３０  無線ＬＡＮＩＦ部
３６  情報付加部
３７  ＬＡＮ制御部
３８  記憶装置（第１記憶手段）
３９  記憶装置制御部
４２  データ消去部（消去手段）
４３  サーバデータ取得部（取得手段）
４５  出力データ処理部
４６  Ｄ／Ａ変換部
４７  携帯電話コネクタ部
６１  ＬＡＮＩＦ部
６３  ＨＤＤ（第２記憶手段）
６７  ＬＡＮ制御部
６９  書込・読取処理部
７３・７８  ホームサーバコネクタ部
７４  Ａ／Ｄ変換部
７５・７９  エンコード部
８１  携帯電話端子部（接続手段）
８２  送信制御部
【図１】
2005159625.tif 000003
【図２】
2005159625.tif 000004
【図３】
2005159625.tif 000005
【図４】
2005159625.tif 000006
【図５】
2005159625.tif 000007
【図６】
2005159625.tif 000008
【図７】
2005159625.tif 000009
【図８】
2005159625.tif 000010
【図９】
2005159625.tif 000011
【図１０】
2005159625.tif 000012
【図１１】
2005159625.tif 000013
【図１２】
2005159625.tif 000014
【図１３】
2005159625.tif 000015
【図１４】
2005159625.tif 000016
【図１５】
2005159625.tif 000017
【図１６】
2005159625.tif 000018